(57)【特許請求の範囲】
【請求項１】
シェードガイドにて分類されるＢ１より表面の明度が高く、前記表面がコーティングにより鏡面加工され、義歯床と接触する部分の表面が梨地に形成された人工歯。
【請求項２】
前記コーティングは、ガラスビーズにより形成された請求項１記載の人工歯。
【請求項３】
前記コーティングは、コーティング用樹脂材により形成された請求項１記載の人工歯。
【請求項４】
前記請求項１から３のいずれかの項に記載の人工歯と、前記人工歯を支持する義歯床とを備えた義歯。
【発明の詳細な説明】
【技術分野】
【０００１】
本発明は、損失した天然歯の代用品として使用される人工歯および義歯に関するものである。
【背景技術】
【０００２】
人工歯は、損失した天然歯の代用品として、インプラントの上部構造体として使用されたり、義歯床に設けられて義歯として使用されたりしている。
人工歯は、天然歯の残存歯と違和感が無いように色合せされる。また、無歯顎者である場合には、一般的な天然歯が有する色彩や明度のものが選択される。このとき、色相や明度、彩度の基準となるシェードガイドと称される色見本が用いられる。
【０００３】
シェードガイドでは、人工歯の色を、赤味がかった茶色系であるＡ系として５種類、赤味がかった黄色系であるＢ系として４種類、灰色系であるＣ系として４種類、赤味がかった灰色系であるＤ系として３種類に分類されている。
このようなシェードガイドによる色選択に関し、特許文献１に記載されたものが知られている。
【０００４】
特許文献１に記載の「歯の色を判定する方法および該方法を実施するためのシェードガイド」は、Ａ系色の色見本の中で歯に最も明るさが近い色の色見本を選択し（工程１）、次に、色の明るさを指標にして色見本を明るさの高低順に並べたときの、最も明るい側から３つの色見本毎にグループ分けしたグループのうちの、工程１で選択した色見本が存在するグループの中での評価対象歯に最も明るさが近い色の色見本を選択する（工程２）というものである。
【先行技術文献】
【特許文献】
【０００５】
【特許文献１】特開２０１４−１７６号公報
【発明の概要】
【発明が解決しようとする課題】
【０００６】
人工歯は、シェードガイドによる色選択により、一般的な歯牙の色を模して人工歯の色が選択されるため、人工歯の色は一定以上の黄色みを有するランクが選択される。しかし、人工歯は、天然歯と異なり自浄作用に乏しいため、歯垢や、付着物による着色により汚れやすい。
また、人工歯は、歯垢が付着したり、着色されたりしても、黄色みを帯びているため、視認しにくい。人工歯への歯垢の付着や着色が視認できれば、装着者に歯垢や着色を除去させるような動機付けさせることができる。
【０００７】
そこで本発明は、歯垢や着色が容易に発見できることにより、口腔内の衛生環境を向上させることができる人工歯および義歯を提供することを目的とする。
【課題を解決するための手段】
【０００８】
本発明の人工歯は、シェードガイドにて分類されるＢ１より表面の明度が高いことを特徴とする。
本発明の人工歯によれば、表面が、シェードガイドにて分類される明度が最も高いＢ１より、更に明度が高いため、少しの歯垢や着色でも容易に発見できる。
【０００９】
前記表面が鏡面加工されていると、歯垢を付着し難くすることができる。
また、前記表面が抗菌加工されていると、歯垢の原因になる細菌の付着を抑止することができる。
【発明の効果】
【００１０】
本発明は、表面の明度がＢ１より明るいため、少しの歯垢や着色でも容易に発見できるので、歯垢や着色が容易に発見できることにより、口腔内の衛生環境を向上させることができる。
【図面の簡単な説明】
【００１１】
【図１】本発明の実施の形態に係る人工歯を用いた上顎用の義歯を示す斜視図である。
【図２】本発明の実施の形態に係る人工歯を用いた下顎用の義歯を示す斜視図である。
【図３】シェードガイドを説明するための図である。
【図４】図１に示す上顎用の義歯の断面図である。
【発明を実施するための形態】
【００１２】
本発明の実施の形態に係る人工歯を用いた義歯を図面に基づいて説明する。
図１に示す義歯１０は、上顎用の総義歯である。義歯１０は、上顎の天然歯を模した人工歯１１と、人工歯１１を支持するアーチ状の歯肉部１２ａおよび口蓋部１２ｂを有する義歯床１２とを備えている。
図２に示す義歯２０は、下顎用の総義歯である。義歯２０は、下顎の天然歯を模した人工歯２１と、人工歯２１を支持するアーチ状の歯肉部２２ａを有する義歯床２２とを備えている。
【００１３】
人工歯１１と人工歯２１とは、表面が、シェードガイドにて分類される明度が最も高いＢ１より高い明度を有している。
ここで、シェードガイドについて説明する。図３に示すシェードガイド１００は、ＶＩＴＡ社製のＶＩＴＡ  Ｃｌａｓｓｉｃａｌが使用できる。シェードガイド１００は、色見本としての見本歯１０１がハンドル部１０２に取り付けられた状態で、ケース１０３に明度順に収納されている。
ハンドル部１０２の先端部には、タグ部１０２ａが形成され、色見本の明度を示す記号が付与されている。
【００１４】
人工歯の色は、５種類のＡ系（Ａ１〜Ａ３，Ａ３．５，Ａ４）、４種類のＢ系（Ｂ１〜Ｂ４）、４種類のＣ系（Ｃ１〜Ｃ４）、および３種類のＤ系（Ｄ２〜Ｄ４）に分類されている。タグ部１０２ａには、記号として、人工歯の色を示すＡ１〜Ａ３，Ａ３．５，Ａ４・・・などが刻印されている。
シェードガイド１００では、明度が最も高い（明るい）「Ｂ１」から、最も低い（暗い）「Ｃ４」までが、右側から順に左側へ配列されている。
このようなシェードガイド１００は、歯科医師または歯科技工士が、ケース１０３からハンドル部１０２を持って見本歯１０１を取り出して、見本歯１０１を色見本として、装着者に合う色を選択する。
人工歯１１および人工歯２１は、シェードガイド１００にて分類される明度が最も高いＢ１より高い明度を有しているため、際立って色の白い歯ということができる。
【００１５】
人工歯１１と人工歯２１の表面が、「Ｂ１」の見本歯１０１より高い明度を有している否かは、シェードガイドを用いた視感比色法により判定することができる。また、シェードガイドの「Ｂ１」を色彩計で測定したときの明度と、人工歯１１と人工歯２１の表面を色彩計で測定したときの明度とを比較することで判定することができる。
【００１６】
シェードガイドのそれぞれの色見本では、見本歯１０１の歯冠部と歯頸部とで明度が異なる。歯冠部では明度が高く、歯頸部では歯冠部と比較して明度が低い。それは、装着者に義歯１０，２０として装着したときに、人工歯１１，２１をより自然に見せるためである。従って、歯冠部は明度が高く（明るく）、歯頸部は明度が低く（暗く）形成されている。人工歯１１と人工歯２１は、シェードガイドの対応するそれぞれの部位で明度が高い。
【００１７】
この人工歯１１と人工歯２１とは、陶歯、レジン歯、ハイブリッドレジン歯、ジルコニア製の人工歯などとすることができる。
人工歯１１と人工歯２１を、陶歯とするときには、「Ｂ１」より高い明度に着色された陶材粉末泥を印象型または金型に充填して成形し、乾燥させた後に、焼成することにより、陶歯が形成できる。また、人工歯の形状に成形し、焼成した後に、着色してもよい。
【００１８】
また、人工歯１１と人工歯２１をレジン歯またはハイブリッドレジン歯とするときには、例えば、「Ｂ１」より高い明度を有するレジンを印象型または金型に充填して成形し、硬化させることによりレジン歯を形成することができる。また、人工歯の形状に成形し、硬化させた後に、着色してもよい。
人工歯１１と人工歯２１をジルコニア製の人工歯とするときには、「Ｂ１」より高い明度のジルコニアを切削して成形し、焼成することでジルコニア製の人工歯とすることができる。また、ジルコニア製の人工歯は、焼成してから切削して成形してもよい。更に、ジルコニア製の人工歯は、必要に応じて着色してもよい。
【００１９】
人工歯１１と人工歯２１とは、シェードガイドにて分類される最も明度が高い「Ｂ１」より更に明度が高いので、人工歯１１および人工歯２１に付着した少しの歯垢や着色でも容易に発見できる。従って、人工歯１１および人工歯２１は、歯垢の付着や着色が用に視認できることにより、歯垢や着色を除去しようとする動機付けを装着者に促すことができるので、口腔内の衛生環境を向上させることができる。
【００２０】
人工歯１１と人工歯２１とは、その表面が、鏡面加工されている。特に、義歯床１２，２２から露出した人工歯１１と人工歯２１の表面が、鏡面加工されていることが望ましい。鏡面加工は、コーティング加工により行うことができる。コーティング加工は、ガラスコーティングまたはコーティング用樹脂材によるコーティングとすることができる。また、鏡面加工は、人工歯１１，２１を形成する材料に、人工歯１１，２１の明度に影響しない程度のガラスビーズなどの粒子を含有させ、研磨によって鏡面加工をしやすくして、その後の研磨によって鏡面を得るようにしてもよい。人工歯１１と人工歯２１の表面が鏡面加工されていることで、歯垢を付着し難くすることができる。
【００２１】
また、人工歯１１と人工歯２１とは、その表面が、抗菌加工されている。抗菌加工としては、抗菌コートが適用できる。抗菌コートは、例えば、緑茶ポリフェノールやグレープフルーツ種子抽出物などの天然由来のもの、酸化チタンなどの光触媒や、銀イオン、銅イオン、亜鉛イオンなどの金属イオンなどの無機物のものをコーティング材に含有させたものが使用できる。
【００２２】
また、抗菌加工としては、人工歯１１，２１を形成する材料に、添加用抗菌剤を含有させることもできる。添加用抗菌剤としては、例えば、銀、銅、亜鉛などの無機物系抗菌剤や、ニトリル誘導体、イミダゾール誘導体、トリアジン誘導体、フェノールエステル誘導体、ピロール誘導体などの有機系抗菌剤を用いることができる。
人工歯１１と人工歯２１との表面が抗菌加工されていることで、歯垢の原因になる細菌の付着を抑止することができる。
【００２３】
また、人工歯１１，２１は、義歯床１２，２２への接合部分に、義歯床１２，２２との接合強度を向上させるための加工が施されている。
人工歯１１，２１の表面が鏡面加工されていると、義歯床１２，２２から露出した部分は歯垢が付着し難くなるが、義歯床１２，２２と接触する部分は接合強度が低下する。
【００２４】
そこで、上顎の義歯１０を例に説明すると、図４に示すように、人工歯１１の接合部分１１ａへの加工としては、例えば、機械的に接合部分１１ａの表面を梨地とするサンドブラストや、化学的に梨地とするレジンプライマーを施すことができる。人工歯１１，２１の接合部分の表面を梨地とすることで、接触面積が増加するため、人工歯１１，２１と義歯床１２，２２の接合強度を増加させることができる。
【００２５】
また、人工歯１１，２１の接合部分に凸部や凹部を設け、義歯床１２，２２を成形すると、人工歯１１，２１の凸部に嵌る凹部や、人工歯１１，２１の凹部に嵌る凸部が、アンダーカットとして義歯床１２，２２に成形されるため、より一層の接合強度を確保することができる。
また、人工歯１１，２１と義歯床１２，２２とを一体成形する以外に、義歯床１２，２２に人工歯１１，２１を接着剤によって貼り付けるようにしてもよい。
【００２６】
義歯床１２，２２は、人工歯１１，２１の白さに合わせて、通常の歯肉色より明るくすることにより、白い人工歯１１，２１との違和感を抑制するのが望ましい。
また、義歯床１２，２２においても、通常は、ピンク色系の歯肉色であるが、歯肉色の明度を上げたり、人工歯１１，２１の色に合わせて白くしたりしてもよい。そうすることで、装着者は、義歯床１２，２２に付着した歯垢や、磨き残しなどが一目瞭然で認識できる。
【００２７】
本実施の形態では、人工歯を総義歯の歯牙として用いた例を説明したが、部分義歯でもよい。また、人工歯は、歯冠修復やインプラントの上部構造など、歯牙の代わりとなるものであれば、本発明を適用することができる。
【産業上の利用可能性】
【００２８】
本発明は、歯垢や着色が容易に発見できることにより、口腔内の衛生環境を向上させることができるので、損失した天然歯の代用品として使用される人工歯および義歯に好適である。
【符号の説明】
【００２９】
１０，２０  義歯
１１，２１  人工歯
１２，２２  義歯床
１２ａ，２２ａ  歯肉部
１２ｂ  口蓋部
１００  シェードガイド
１０１  見本歯
１０２  ハンドル部
１０２ａ  タグ部
１０３  ケース
【図１】
0006324834.tif 000002
【図２】
0006324834.tif 000003
【図３】
0006324834.tif 000004
【図４】
0006324834.tif 000005